(57)【要約】      （修正有）【課題】両面液晶ディスプレイの薄型化に関する。【解決手段】両面液晶ディスプレイは３枚の基板から形成され、第一反射型液晶ディスプレイおよび第二反射型液晶ディスプレイからなる。３枚の基板は、それぞれ第一基板、第二基板、および第三基板であり、第一基板は、第一面と第二面を有する。第一基板の第一面上には、第一反射層、第一液晶層、第二基板、および第一偏光板が順序どおりに配置され、それによって、第一反射型液晶ディスプレイが形成される。第一基板の第二面には、第二反射層、第二液晶層、第三基板、および第二偏光板が順序どおりに設置されることによって、第二反射型液晶ディスプレイが形成される。【選択図】図１
2005031219.tif 000002
【特許請求の範囲】
【請求項１】
第一反射型液晶ディスプレイと第二反射型液晶ディスプレイからなり、第一面と第二面を有する第一基板、それぞれ前記第一基板の前記第一面および前記第二面の上に位置する第一反射層および第二反射層、それぞれ前記第一反射層および前記第二反射層の上に配置される第一液晶層および第二液晶層、前記第一液晶層上に配置される第二基板、前記第二液晶層上に配置される第三基板、前記第二基板上に配置される第一偏光板、および前記第三基板上に配置される第二偏光板を含み、
前記第一基板、前記第一反射層、前記第一液晶層、前記第二基板、および前記第一偏光板によって前記第一反射型液晶ディスプレイが形成され、前記第一基板、前記第二反射層、前記第二液晶層、前記第三基板、および前記第二偏光板によって前記第二反射型液晶ディスプレイが形成されることを特徴とする、３枚の基板を有する両面液晶ディスプレイ。
【請求項２】
前記第一基板、前記第二基板、および前記第三基板の材料が、いずれもガラスであり、前記第一反射層または前記第二反射層が拡散反射層であることを特徴とする、請求項１に記載の両面液晶ディスプレイ。
【請求項３】
前記第一反射層および前記第二反射層が鏡面反射層または拡散反射層であり、さらに、前記第二基板と前記第一偏光板の間および／または前記第三基板と前記第二編光板の間に拡散層が挟まれることを特徴とする、請求項１に記載の両面液晶ディスプレイ。
【請求項４】
第一編光板上に配置される第一導光板、第二編光板上に配置される第二導光板、前記両面液晶ディスプレイの一端に配置される光源および反射鏡を含み、陰極蛍光灯管または発光ダイオードからなる光源より放出される光が、前記反射鏡、前記第一導光板、および前記第二導光板に導かれて前記第一反射型液晶ディスプレイおよび前記第二反射型液晶ディスプレイの光源になることを特徴とする、請求項１に記載のディスプレイ。
【請求項５】
前記第一偏光板上に配置される第一導光板、前記第二偏光板上に配置される第二導光板、前記第一導光板の一端に配置される第一光源および第一反射カバー、第二導光板の一端に配置される第二光源および第二反射カバーを含み、前記第一光源および第二光源が蛍光灯管または発光ダイオードであり、前記第一光源から放出される光が、前記第一反射カバーおよび前記導光板に導かれて前記第一反射型液晶ディスプレイの光源となり、かつ、前記第二光源から放出される光が前記第二反射カバーおよび前記第二導光板に導かれて前記第二反射型液晶ディスプレイの光源となることを特徴とする、請求項１に記載の両面液晶ディスプレイ。
【請求項６】
前記第一基板上に配置される第一位相差板、前記第二基板上に配置される第二位相差板を含み、かつ、前記第一反射型液晶ディスプレイおよび前記第二型液晶ディスプレイが、反射型薄膜トランジスタ液晶ディスプレイ（ＴＦＴ−ＬＣＤ）、反射型ねじれネマティック液晶ディスプレイ（ＴＮ−ＬＣＤ）または反射型超ねじれネマティック液晶ディスプレイ（ＳＴＮ−ＬＣＤ）から選ばれることを特徴とする、請求項１に記載の両面液晶ディスプレイ。
【請求項７】
前記第一反射型液晶ディスプレイが、さらに第一フレキシブル印刷回路板を含み、前記第二反射型液晶ディスプレイが、さらに第二フレキシブル印刷回路板を含み、前記第一フレキシブル印刷回路板および前記第二フレキシブル印刷回路板が、前記両面液晶ディスプレイの同一サイドまたはそれぞれ異なるサイドに位置することを特徴とする、請求項１に記載の両面液晶ディスプレイ。
【発明の詳細な説明】
【０００１】
【発明の属する技術分野】
本件発明は、液晶ディスプレイの構造、特に３枚の基板からなる両面液晶ディスプレイに関わるものである。
【０００２】
【従来の技術】
ディスプレイ技術の発達にともない、電子装置において、時に２つのディスプレイによるデータ表示が必要とされるようになった。例えば、携帯電話やノート型パソコンのような折りたたみ式電子装置の場合、折りたたんだときは、ケース体の一方の面にディスプレイがあり、オープン時には、ケース体のもう一方の面に別の一般操作用のディスプレイがある。通常、この２つのディスプレイは、背中あわせ（ｂａｃｋ  ｔｏ  ｂａｃｋ）になっており、２組の液晶ディスプレイにより構成することができる。２組の液晶ディスプレイには、それぞれの背光源と液晶パネルが必要であるため、厚さにおいて、単面液晶ディスプレイよりも厚くなる。
【０００３】
【特許文献１】
２０００−７５８１５号公報
【０００４】
【発明が解決しようとする課題】
しかし、現在、電子装置は、小型化、薄型化の方向で進歩しつつある。したがって、いかにして、両面液晶ディスプレイの厚さを薄くするかということが、両面液晶ディスプレイの設計において解決されるべき問題の一つになっている。
【０００５】
【課題を解決するための手段】
本件発明の目的は、３枚の基板からなる両面液晶ディスプレイの構造に関わるものである。
【０００６】
第一反射型液晶ディスプレイおよび第二反射型液晶ディスプレイを含む、３枚の基板からなる両面液晶ディスプレイ。３枚の基板は、それぞれ、第一基板、第二基板、および第三基板である。第一基板は、第一面および第二面を有する。第一基板の第一面上には、第一反射層、第一液晶層、第二基板、および第一偏光板が順序どおりに配置され、それによって、第一反射型液晶ディスプレイが形成される。第一基板の第二面上には、第二反射層、第二液晶層、第三基板、および第二偏光板が順序どおりに配置され、それによって、第二反射型液晶ディスプレイが形成される。
【０００７】
【発明の実施の形態】
本件発明は、両面液晶ディスプレイの構造に関わるものである。３枚の基板によって両面液晶ディスプレイを作ることにより、比較的薄い両面液晶ディスプレイを提供することができる。
【０００８】
図１は、本件発明の第一実施例における両面液晶ディスプレイを示したものである。第一液晶層２０２は、第一基板１０と第二基板２０の間に挟まれ、これによって、第一反射型液晶ディスプレイが形成される。第二液晶層３０２は、第一基板１０と第三基板３０の間に挟まれ、これによって第二液晶ディスプレイが形成される。光源１０２は、冷陰極蛍光灯管またはＬＥＤとするのが望ましく、両面液晶ディスプレイの一方のサイドに配置する。光源１０２から放出される光は、反射鏡１０４、第一導光板２０４、第二導光板３０４に導かれ、第一反射型液晶ディスプレイおよび第二液晶ディスプレイの光源となる。
【０００９】
図２は、本件発明の第二実施例における両面液晶ディスプレイを示したものである。図２の両面液晶ディスプレイは、図１と似ているが、光源の配置方式において異なる。第一光源１０６は、第一反射型液晶ディスプレイの一方のサイドに配置する。第一光源１０６から放出される光は、第一反射カバー１０８および第一導光板２０４に導かれ、第一反射型液晶ディスプレイの光源となる。第二光源１１０は、第二反射型ディスプレイの一方のサイドに配置する。第二光源１１０から放出される光は、第二反射カバー１１２および第二導光板３０４に導かれ、第二反射型液晶ディスプレイの光源となる。
【００１０】
液晶ディスプレイは、多種の構造を有し、必要に応じて選択できる。なお、構造としては、白黒ディスプレイ、カラーディスプレイ、薄膜トランジスタ液晶ディスプレイ（ＴＦＴ−ＬＣＤ）、ねじれネマティック液晶ディスプレイ（ＴＮ−ＬＣＤ）、超ねじれネマティック液晶ディスプレイ（ＳＴＮ−ＬＣＤ）などがある。以下、本件発明について、複数の実施例を提供し、両面ディスプレイ構造の数種類の組み合わせを説明する。
【００１１】
図３は、本件発明の第三実施例における両面液晶ディスプレイを示したものである。この両面液晶ディスプレイは、２つのカラー薄膜トランジスタによって構成される。第一基板１０の第一面１２４上に、薄膜トランジスタ１１４、第一拡散反射層２０６、第一液晶層２０２、第一カラーフィルタ２０８、第二基板２０、第一位相差板２１０、および第一偏光板２１２を配置することにより、第一反射型薄膜トランジスタ液晶ディスプレイを形成する。第一基板１０の第一面１２６上に、第二拡散反射層３０６、第二液晶層３０２、第二カラーフィルタ３０８、第三基板３０、第二位相差板３１０、および第二偏光板３１２を配置することにより、第二反射型薄膜トランジスタ液晶ディスプレイを形成する。
【００１２】
図３の両面液晶ディスプレイでは、１組の薄膜トランジスタによって液晶ディスプレイの画面表示をコントロールする。この両面液晶ディスプレイを折りたたみ式電子装置に用いる場合、折りたたみ時には第一薄膜トランジスタ液晶ディスプレイだけを、オープン時には第二液晶ディスプレイだけど起動させるということが可能である。また、２組の薄膜トランジスタ（図示されていない）を用いて、第一薄膜トランジスタ液晶ディスプレイおよび第二薄膜トランジスタ液晶ディスプレイの画面表示を別々にコントロールすることもできる。この技術は、技術に通じた者であれば、容易に考えうるため、ここでは詳しく述べない。
【００１３】
図４は、本件発明の第四実施例における両面液晶ディスプレイを示したものである。この両面液晶ディスプレイは、１つのカラー薄膜トランジスタ液晶ディスプレイと１つの白黒薄膜トランジスタ液晶ディスプレイからなる。構造は、図３の両面液晶ディスプレイと似ているが、第一基板１０の第二面１２６と第三基板３０からなる第二薄膜トランジスタ液晶ディスプレイには、第二カラーフィルタ３０８がない。したがって、図４の第二薄膜トランジスタ液晶ディスプレイは、白黒ディスプレイである。
【００１４】
図５は、本件発明の第五実施例における両面液晶ディスプレイを示したものである。この両面液晶ディスプレイは、１つのカラー薄膜トランジスタ液晶ディスプレイと１つのカラーＳＴＮ液晶ディスプレイからなる。カラー薄膜トランジスタ液晶ディスプレイは、第一基板１０の第一面１２４と第二基板２０からなり、構造は、図３と同じである。一方、カラーＳＴＮ液晶ディスプレイについては、第一基板１０の第二面１２６上に、鏡面反射層３１４、第二液晶層３０２、カラーフィルタ３０８、第三基板３０、拡散層３１６、第二位相差板３１０、および第二偏光板３１２を順序どおりに配置する。また、カラーＳＴＮ液晶ディスプレイは、第一基板１０の第二面１２６上に拡散反射層を配置するのではなく、反射層３１４を拡散層３１６に合わせることでコストを下げることができる。拡散層３１６については、凹面と凸面を有する薄膜（ｆｉｌｍ）、または粒子を含む薄膜を用いることができるほか、材料の違いによる屈折率の差を利用して拡散効果を得ることもできる。
【００１５】
図５の両面液晶ディスプレイにおけるカラーＳＴＮ液晶ディスプレイについては、類似の構造を利用し、第二液晶層層３０２の材料および駆動回路配置を変更することにより、カラーＴＮ液晶ディスプレイにすることができる。このようにすると、両面液晶ディスプレイは、カラー薄膜トランジスタディスプレイとカラーＴＮ液晶ディスプレイから形成される。
【００１６】
図６は、本件発明の第六実施例における両面液晶ディスプレイを示したもので、１つのカラー薄膜トランジスタ液晶ディスプレイと１つの白黒ＳＴＮ液晶ディスプレイからなる。図６の両面液晶ディスプレイの構造は、図５と類似しているが、ＳＴＮ液晶ディスプレイがカラーフィルタ３０８を持たない点で異なるため、このＳＴＮ液晶ディスプレイは、白黒ディスプレイである。類似の構造を利用し、第二液晶層３０２の材料および駆動回路配置を変更することにより、この白黒ＳＴＮ液晶ディスプレイは、白黒ＴＮ液晶ディスプレイに変えることができる。このようにすると、両面液晶ディスプレイは、カラー薄膜トランジスタ液晶ディスプレイと白黒ＴＮ液晶ディスプレイから形成される。
【００１７】
図７−１から図７−５は、本件発明の第七実施例における３枚の基板の配列方式、液晶注入口、およびフレキシブル回路板の位置を示したものである。第七実施例において、第一フレキシブル回路板１２０および第二フレキシブル回路板１２２は、第一基板１０の同一サイドに設置される。第一基板１０、第二基板２０、および第三基板の結合方式は、図７−１のとおりである。図７−２の第二基板２０と図７−３の第一基板１０の第一面１２４により、第一液晶注入口１１６を有する第一反射型液晶ディスプレイが形成される。図７−４の第一基板１０の第二面１２６と図７−５の第三基板３０により、第二液晶注入口１１８を有する第二反射型液晶ディスプレイが形成される。ここで、第一液晶注入口１１６と第二液晶注入口１１８は同一方向を向いており、同時に液晶を注入することができる。
【００１８】
図８−１から図８−５は、本件発明の第八実施例における３枚の基板の配列方式、液晶注入口、およびフレキシブル回路板の位置を示したものである。第八実施例において、第一フレキシブル回路板１２０および第二フレキシブル回路板１２２は、第一基板１０のそれぞれ異なるサイドに配置される。第一基板１０、第二基板２０、および第三基板の結合方式は、図８−１のとおりである。図８−２の第二基板２０と図８−３の第一基板１０の第一面１２４により、第一液晶注入口１１６を有する第一反射型液晶ディスプレイが形成される。図８−４の第一基板１０の第二面１２６と図８−５の第三基板３０の第一面により、第二液晶注入口１１８を有する第二反射型液晶ディスプレイが形成される。ここで、第一液晶注入口１１６と第二液晶注入口１１８は同一方向を向いており、同時に液晶を注入することができる。
【００１９】
本項技術に精通したる者であれば、本件発明が、本件発明の精神および範囲を逸脱しない条件下において、その他の多くの特定形式により実施することができることを明確に理解しているはずである。したがって、ここに提供する実施例は、説明として認識されるべきであって、限定的なものではなく、この発明は、文中に提示された詳細部分に制限されず、添付する特許請求の範囲内において均等の変化、修正を行うことができるものである。
【図面の簡単な説明】
【図１】本件発明の第一実施例における、両面液晶ディスプレイを示したものである。
【図２】本件発明の第二実施例における、両面液晶ディスプレイを示したものである。
【図３】本件発明の第三実施例における、２つのカラー薄膜トランジスタ液晶ディスプレイからなる両面液晶ディスプレイを示したものである。
【図４】本件発明の第四実施例における、１つのカラー薄膜トランジスタ液晶ディスプレイと１つの白黒薄膜トランジスタ液晶ディスプレイからなる両面液晶ディスプレイを示したものである。
【図５】本件発明の第五実施例における、１つのカラー薄膜トランジスタ液晶ディスプレイ、および１つのカラーＳＴＮ液晶ディスプレイまたはカラーＴＮ液晶ディスプレイからなる両面液晶ディスプレイを示したものである。
【図６】本件発明の第六実施例における、１つのカラー薄膜トランジスタ液晶ディスプレイ、および１つの白黒ＳＴＮ液晶ディスプレイまたは白黒ＴＮ液晶ディスプレイからなる両面液晶ディスプレイを示したものである。
【図７】本件発明の第七実施例における、３枚の基板の配列方式、液晶注入口、およびフレキシブル回路板の位置を示したものである。
【図８】本件発明の第八実施例における、３枚の基板の配列方式、液晶注入口、およびフレキシブル回路板の位置を示したものである。
【符号の説明】
１０    第一基板
１０２  光源
１０４  反射鏡
１０６  第一光源
１０８  第一反射カバー
１１０  第二光源
１１２  第二反射カバー
１１４  薄膜トランジスタ
１１６  第一液晶注入口
１１８  第二液晶注入口
１２０  第一フレキシブル回路板
１２２  第二フレキシブル回路板
１２４  第一基板の第一面
１２６  第一基板の第二面
２０    第二基板
２０２  第一液晶層
２０４  第一導光板
２０６  第一拡散反射層
２０８  第一カラーフィルタ層
２１０  第一位相差板
２１２  第一偏光板
３０    第三基板
３０２  第二液晶層
３０４  第二導光板
３０６  第二拡散反射層
３０８  第二カラーフィルタ層
３１０  第二位相差板
３１２  第二偏光板
３１４  鏡面反射層
３１６  拡散層
【図１】
2005031219.tif 000003
【図２】
2005031219.tif 000004
【図３】
2005031219.tif 000005
【図４】
2005031219.tif 000006
【図５】
2005031219.tif 000007
【図６】
2005031219.tif 000008
【図７−１】
2005031219.tif 000009
【図７−２】
2005031219.tif 000010
【図７−３】
2005031219.tif 000011
【図７−４】
2005031219.tif 000012
【図７−５】
2005031219.tif 000013
【図８−１】
2005031219.tif 000014
【図８−２】
2005031219.tif 000015
【図８−３】
2005031219.tif 000016
【図８−４】
2005031219.tif 000017
【図８−５】
2005031219.tif 000018